(57)【要約】【課題】グロメットの保護性能を向上させながら、グロメットを容易に拡げることができる技術を提供すること。【解決手段】グロメット１００は、筒状に形成されている。また、グロメット１００は、周方向に沿って形成された凸状の山部２と、周方向に沿って形成された凹状の谷部３と、が延在方向において交互に連なった蛇腹部１を含む。そして、山部２には、その周方向に沿って異なる位置に複数の厚肉部２１と厚肉部２１よりも厚みの薄い複数の薄肉部２２とが形成されている。【選択図】図１
2016157658.tif 000002
【特許請求の範囲】
【請求項１】
筒状に形成され、
周方向に沿って形成された凸状の山部と、前記周方向に沿って形成された凹状の谷部と、が延在方向において交互に連なった蛇腹部を含み、
前記山部には、その周方向に沿って異なる位置に複数の厚肉部と前記厚肉部よりも厚みの薄い複数の薄肉部とが形成されている、グロメット。
【請求項２】
請求項１に記載のグロメットであって、
前記厚肉部は、その表面側に前記薄肉部よりも硬い部材が設けられることで形成される、グロメット。
【請求項３】
請求項１又は請求項２に記載のグロメットであって、
前記山部の周方向において隣り合う前記厚肉部の頂点部分を結ぶ外接線よりも内周面側に、前記隣り合う厚肉部の間の前記薄肉部が位置するように形成されている、グロメット。
【請求項４】
請求項１から請求項３のいずれか１項に記載のグロメットであって、
前記山部の周方向において前記厚肉部における外周側の部分から両側の少なくとも一方へ突出し、前記薄肉部と間隔を空けて形成された突出部が、前記山部に形成されている、グロメット。
【請求項５】
請求項１から請求項４のいずれか１項に記載のグロメットであって、
前記山部において前記厚肉部を含んで外部に突出する部分に、前記外部側に凸状の湾曲面が形成されている、グロメット。
【請求項６】
請求項１から請求項５のいずれか１項に記載のグロメットであって、
前記複数の厚肉部は、前記周方向において等間隔で設けられている、グロメット。
【請求項７】
請求項１から請求項６のいずれか１項に記載のグロメットと、
前記グロメットに挿通された電線と、を備える、グロメット付電線。
【発明の詳細な説明】
【技術分野】
【０００１】
本発明は、電線を保護するグロメット及びこれを含むグロメット付電線に関する。
【背景技術】
【０００２】
ワイヤーハーネスは、例えば、複数の電線及びコネクタを備える。また、ワイヤーハーネスにおける電線が、ワイヤーハーネスの周囲を覆うグロメットによって保護されることがある。
【０００３】
ここで、特許文献１には、蛇腹構造のグロメットが示されている。このグロメットでは、蛇腹部分における山部の厚みが、谷部の厚みよりも厚くなるように形成されている。
【先行技術文献】
【特許文献】
【０００４】
【特許文献１】特開平１０−２９７３８９号公報
【発明の概要】
【発明が解決しようとする課題】
【０００５】
しかしながら、特許文献１に示される例では、蛇腹部分における比較的厚く形成された山部が全周に亘って形成されているため、中空部を拡径させる方向にグロメットを変形させ難い。この場合、ワイヤーハーネスにおけるコネクタ等の比較的大型な部材を挿通可能にグロメットを拡径させることが困難となり、ワイヤーハーネスをグロメットに挿通させる作業が困難になることが懸念される。
【０００６】
本発明は、グロメットの保護性能を向上させながら、グロメットを容易に拡げることができる技術を提供することを目的とする。
【課題を解決するための手段】
【０００７】
第１態様に係るグロメットは、筒状に形成され、周方向に沿って形成された凸状の山部と、前記周方向に沿って形成された凹状の谷部と、が延在方向において交互に連なった蛇腹部を含み、前記山部には、その周方向に沿って異なる位置に複数の厚肉部と前記厚肉部よりも厚みの薄い複数の薄肉部とが形成されている。
【０００８】
第２態様に係るグロメットは、第１態様に係るグロメットの一態様である。第２態様に係るグロメットにおいては、前記厚肉部は、その表面側に前記薄肉部よりも硬い部材が設けられることで形成される。
【０００９】
第３態様に係るグロメットは、第１態様又は第２態様に係るグロメットの一態様である。第３態様に係るグロメットにおいては、前記山部の周方向において隣り合う前記厚肉部の頂点部分を結ぶ外接線よりも内周面側に、前記隣り合う厚肉部の間の前記薄肉部が位置するように形成されている。
【００１０】
第４態様に係るグロメットは、第１態様から第３態様のいずれか１つに係るグロメットである。第４態様に係るグロメットにおいては、前記山部の周方向において前記厚肉部における外周側の部分から両側の少なくとも一方へ突出し、前記薄肉部と間隔を空けて形成された突出部が、前記山部に形成されている。
【００１１】
第５態様に係るグロメットは、第１態様から第４態様のいずれか１つに係るグロメットである。第５態様に係るグロメットにおいては、前記山部において前記厚肉部を含んで外部に突出する部分に、前記外部側に凸状の湾曲面が形成されている。
【００１２】
第６態様に係るグロメットは、第１態様から第５態様のいずれか１つに係るグロメットである。第６態様に係るグロメットにおいては、前記複数の厚肉部は、前記周方向において等間隔で設けられている。
【００１３】
第７態様に係るグロメット付電線は、第１態様から第６態様のいずれか１つに係るグロメットと、前記グロメットに挿通された電線と、を備える。
【発明の効果】
【００１４】
上記の各態様において、山部には、その周方向に沿って異なる位置に複数の厚肉部と厚肉部よりも厚みの薄い複数の薄肉部とが形成されている。この場合、山部に形成された厚肉部によって、厚肉部を含まないグロメットに比べ、その保護性能が向上する。また、複数の厚肉部は山部の周方向に沿って異なる位置に設けられているため、蛇腹部が拡径する方向に変形することを阻害し難い。即ち、上記の各態様においては、グロメットの保護性能を向上させながら、グロメットを容易に拡げることが可能となる。
【００１５】
また、第２態様において、厚肉部は、その表面側に薄肉部よりも硬い部材が設けられることで形成される。この場合、グロメットの保護性能がより向上する。
【００１６】
また、第３態様において、隣り合う厚肉部の頂点部分を結ぶ外接線よりも内周面側に、隣り合う厚肉部の間の薄肉部が位置するように形成されている。この場合、薄肉部をより確実に保護することができるため、グロメットの保護性能をより向上させることができる。
【００１７】
また、第４態様において、山部の周方向において厚肉部における外周面側の部分から両側のうちの少なくとも一方へ突出し、薄肉部と間隔を空けて形成された、突出部が、山部に形成されている。この場合、外周面側に形成された突出部が、薄肉部と外部の部材とが接触することを抑制する。また、内周面側を比較的幅狭に形成することで、山部の周方向においてより変形しやすい薄肉部の領域を比較的大きくすることができる。従って、この態様においては、グロメットの保護性能を向上させつつ、蛇腹部が拡径する方向により変形しやすい。
【００１８】
また、第５態様において、山部において厚肉部を含んで外部に突出する部分に、外部側に凸状の湾曲面が形成されている。この場合、蛇腹部を保護しつつ、外部の部材がこのグロメットとの接触時に傷ついてしまうことを抑制できる。
【００１９】
また、第６態様において、複数の厚肉部は、周方向において等間隔で設けられている。この場合、蛇腹部がより全体的に拡径するように変形しやすい。このため、蛇腹部をより均一に拡げることが可能となる。
【００２０】
また、第７態様においても、グロメットの保護性能を向上させながら、グロメットを容易に拡げることが可能となる。このため、このグロメット付電線においては、電線を挿通させる作業を行い易い。
【図面の簡単な説明】
【００２１】
【図１】第１実施形態に係るグロメット付電線の側面図である。
【図２】第１実施形態に係るグロメットの一部拡大断面図である。
【図３】第１実施形態に係るグロメット付電線の断面図である。
【図４】第２実施形態に係るグロメット付電線の断面図である。
【図５】第２実施形態に係るグロメットの一部拡大断面図である。
【発明を実施するための形態】
【００２２】
以下、添付の図面を参照しつつ、実施形態について説明する。以下の実施形態は、本発明を具現化した一例であり、本発明の技術的範囲を限定する事例ではない。
【００２３】
＜第１実施形態＞
まず、図１〜３を参照しつつ、第１実施形態に係るグロメット付電線１１０及びグロメット１００について説明する。グロメット付電線１１０は、グロメット１００及び電線４を備える。グロメット１００は、筒状に形成され、蛇腹部１を含む。また、本実施形態では、蛇腹部１の両端部それぞれには、取付部５が形成されている。即ち、ここでは、グロメット１００は、蛇腹部１とその両端各々に設けられた２つの取付部５とを備える。
【００２４】
図１は、本実施形態のグロメット付電線１１０の側面図である。図２は、グロメット１００における蛇腹部１の一部を拡大した断面図である。なお、図２は、グロメット１００の延在方向に沿う線で切断した断面図である。図３は、グロメット１００の延在方向に直交する方向に沿う線によって切断した断面図であり、図１のＩＩ−ＩＩ線に沿って切断した断面図である。
【００２５】
図１に示されるように、グロメット１００は、例えば、板状の部材（以下、板状部材９１）に形成された貫通孔９２に取付部５が嵌め込まれることで、板状部材９１に固定される。板状部材９１は、例えば、車両のパネル等が想定される。板状部材９１は、空間を仕切る部材である。また、貫通孔９２は、板状部材９１に仕切られた空間に電線を渡すために形成されている。グロメット１００は、貫通孔９２に挿通される電線を貫通孔９２の内縁部から保護すること及び防水などを目的として貫通孔９２に嵌められる。
【００２６】
また、グロメット１００は、例えば、ゴム等の樹脂製の部材であることが考えられる。また、蛇腹部１及び取付部５を備えるグロメット１００は、金型により一体成型された部材であることが考えられる。
【００２７】
＜グロメット：蛇腹部＞
グロメット１００における蛇腹部１は、比較的容易に曲げることが可能な部分である。蛇腹部１においては、周方向に沿って形成された凸状の山部２と、周方向に沿って形成された凹状の谷部３と、が延在方向において交互に連なって形成されている。
【００２８】
本実施形態では、山部２は、グロメット１００の外周面側において、湾曲しつつ凸状を成す部分である。また、ここでは、グロメット１００の延在方向における山部２の寸法は、グロメット１００の外周面側に向かうにつれ小さくなるように形成されている。なお、グロメット１００の内周面側において、即ち、山部２をグロメット１００の内周面側から見たとき、山部２は開口が内周面側を向く溝を形成している。
【００２９】
ここで、グロメット１００における山部２には、その周方向に沿って異なる位置に複数の厚肉部２１と厚肉部２１よりも厚みの薄い複数の薄肉部２２とが形成されている。
【００３０】
本実施形態において、厚肉部２１は、その表面に薄肉部２２よりも硬い部材が設けられることで形成される。即ち、ここでは、山部２は、２つの部材によって構成されている。１つ目は、グロメット１００全体を構成するゴム等の柔軟な弾性部材である。弾性部材によって形成された部分は、山部２の全周に亘って形成されている。以下、この柔軟な部分を柔軟部２９と称する。そして、２つ目は、柔軟部２９の外周面に設けられ、柔軟部２９よりも硬質な樹脂製の部材である。以下、この部材を硬質部２８と称する。
【００３１】
本実施形態では、硬質部２８が設けられ、硬質部２８と柔軟部２９とが重なった部分が厚肉部２１である。即ち、ここでは、厚肉部２１は、それぞれ種類の異なる２つの部材（柔軟部２９と硬質部２８）によって構成されている。そして、柔軟部２９が露出する部分、即ち、硬質部２８が設けられていない部分が薄肉部２２である。従って、本実施形態では、厚肉部２１は、薄肉部２２の表面側に薄肉部２２（柔軟部２９）よりも硬い部材（硬質部２８）が設けられることで形成されている。
【００３２】
山部２には、複数の硬質部２８が設けられている。ここでは、図３に示されるように、１つの山部２に８つの硬質部２８が設けられている場合が示されている。即ち、山部２には、８つの厚肉部２１と隣り合う厚肉部２１の間の部分である８つの薄肉部２２とが形成されている。また、本実施形態においては、複数（ここでは８つ）の厚肉部２１は、山部２の周方向において等間隔で設けられている。
【００３３】
硬質部２８は、柔軟部２９の周方向における一部の部分を覆う。硬質部２８は、柔軟部２９の外周面を覆い、柔軟部２９を外部の部材から保護する部分である。例えば、硬質部２８は、柔軟部２９の周方向における一部の領域を覆う帯状に形成されている場合又は柔軟部２９の一点を覆う点状に形成されている場合等が考えられる。
【００３４】
硬質部２８は、例えば、ゴムよりも硬いＰＰ（ポリプロピレン）等の樹脂製の部材である。硬質部２８は、例えば、接着剤又は溶接によって柔軟部２９の外周面に固着されている場合又は二色成形によって柔軟部２９の外周面に設けられている場合等が考えられる。
【００３５】
また、図３に示されるように、本実施形態では、山部２の周方向において隣り合う厚肉部２１の頂点部分を結ぶ外接線Ｐよりも内周面側に、隣り合う厚肉部２１の間の薄肉部２２が位置するように形成されている。即ち、隣り合う厚肉部２１の頂点部分を結ぶ外接線Ｐよりも蛇腹部１の中心側に隣り合う厚肉部２１の間の薄肉部２２全体が位置するように、厚肉部２１の外部への突出量、山部２の周方向における厚肉部２１の寸法及び厚肉部２１間の間隔等が決められている。例えば、蛇腹部１を全周に亘って保護したい場合には、８つ以上の厚肉部２１を等間隔に設けることが好ましい。
【００３６】
外接線Ｐは、グロメット１００の延在方向に直交する方向に沿う直線であることが考えられる。より具体的には、外接線Ｐは、山部２の周方向において隣り合う厚肉部２１各々の頂点部分に接する直線であることが考えられる。
【００３７】
このように外接線Ｐよりも内周面側に薄肉部２２が存在するグロメット１００においては、平面と蛇腹部１における薄肉部２２とが接触することを比較的少ない数の厚肉部２１で抑制できる。また、硬質部２８が設けられていない部分である薄肉部２２は、柔軟に形成され容易に伸縮可能である。このため、厚肉部２１によって蛇腹部１を保護しつつ、厚肉部２１間の薄肉部２２によって蛇腹部１を比較的容易に拡径させることが可能となる。
【００３８】
次にグロメット１００の延在方向において山部２に連なる谷部３について説明する。本実施形態において、谷部３は、グロメット１００の外周面側において、湾曲しつつ凹状を成す部分である。即ち、谷部３は、蛇腹部１の全周に亘って形成された溝である。また、ここでは、グロメット１００の延在方向における谷部３の寸法は、グロメット１００の内周面側に向うにつれ小さくなるように形成されている。なお、グロメット１００の内周面側において、即ち、谷部３をグロメット１００の内周面側から見たとき、谷部３は、内周面側に突出している。
【００３９】
また、図２，３に示されるように、谷部３は、全周に亘って柔軟部２９によって構成されている。グロメット１００においては、曲げ方向の内側で蛇腹部１における谷部３をはさんで隣り合う山部２間の距離が小さくなるように変形し、曲げ方向の外側で谷部３をはさんで隣り合う山部２間の距離が大きくなるように変形することで、曲げることが可能となる。
【００４０】
＜グロメット：取付部＞
本実施形態において、取付部５は、蛇腹部１の両端部それぞれに連なって形成され、このグロメット１００の取付対象である相手側部材（ここでは板状部材９１）に取り付け可能な形状に形成されていることが考えられる。ここでは、取付部５には、板状部材９１の貫通孔９２の内縁部を収容し、嵌合可能な凹部５１が周方向に沿って形成されている。グロメット１００は、凹部５１と貫通孔９２の内縁部との嵌合によって板状部材９１に固定される。
【００４１】
＜電線＞
取付部５及び蛇腹部１を備える本実施形態のグロメット１００には、電線４が挿通される。電線４は、例えば、芯線と芯線の周囲を覆う絶縁被覆とを備える絶縁電線であることが考えられる。芯線は、例えば、銅又はアルミニウム等の金属を主成分とする部材であることが考えられる。また、絶縁被覆は、例えば、ポリエチレン又は塩化ビニル等を主成分とする合成樹脂の部材であることが考えられる。
【００４２】
＜グロメット付電線＞
グロメット付電線１１０は、グロメット１００及びグロメット１００に挿通された電線４を備える。なお、ここでは、図３に示されるように、グロメット１００に複数の電線４が挿通される場合が示されている。また、複数の電線４は、例えば、テープ又はバンド等の結束部材によって結束されていることが考えられる。
【００４３】
ここで、電線４の端部には、コネクタ等の比較的大型な部材（不図示）が接続されていることが考えられる。この場合、電線４をグロメット１００に挿通させる作業において、電線４の端部に接続された大型の部材をグロメット１００の蛇腹部１に挿通させるため、蛇腹部１が拡径する方向にグロメット１００を変形させることがある。
【００４４】
このとき、ゴム等の柔軟な部材で構成された柔軟部２９は、比較的変形しやすい。従って、谷部３は、比較的簡単に拡げることが可能である。
【００４５】
一方、硬質な硬質部２８は、変形し難い。しかしながら、本実施形態では、硬質部２８が設けられた部分である厚肉部２１は、山部２の周方向に沿って異なる位置に形成されている。即ち、山部２の周方向において隣り合う厚肉部２１の間の薄肉部２２は、比較的柔軟に形成され容易に伸縮可能である。このため、硬質部２８が全周に亘って形成されている場合に比べ、山部２もより容易に拡げることが可能である。即ち、硬質部２８によって蛇腹部１の保護を行いつつ、山部２の周方向において隣り合う硬質部２８の間の柔軟部２９によって山部２もより容易に拡げることが可能である。
【００４６】
＜効果＞
本実施形態においては、山部２に形成された厚肉部２１によって、厚肉部２１を含まないグロメットに比べ、その保護性能が向上する。また、複数の厚肉部２１は山部２の周方向に沿って異なる位置に設けられているため、蛇腹部１が拡径する方向に変形することを阻害し難い。従って、本実施形態では、グロメット１００の保護性能を向上させながら、グロメット１００を容易に拡げることが可能となる。
【００４７】
また、本実施形態において、厚肉部２１は、その表面が薄肉部２２よりも硬い部材（硬質部２８）が設けられることで形成される。この場合、グロメット１００の保護性能がより向上する。
【００４８】
また、本実施形態において、隣り合う厚肉部２１の頂点部分を結ぶ外接線Ｐよりも内周面側に、隣り合う厚肉部２１の間の薄肉部２２が位置するように形成されている。この場合、本実施形態では、グロメット１００と接触する外部の部材の接触面が平面であるときに、外部の部材が厚肉部２１の硬質部２８に接触し、その内周面側の薄肉部２２（柔軟部２９）に接触しない状況をより確実に作ることができる。この場合、薄肉部２２をより確実に保護することができるため、グロメット１００の保護性能をより向上することができる。
【００４９】
また、本実施形態において、複数の厚肉部２１は、周方向において等間隔で設けられている。この場合、蛇腹部１がより全体的に拡径するように変形しやすい。このため、蛇腹部１をより均一に拡げることが可能となる。
【００５０】
また、本実施形態のグロメット付電線においても、グロメット１００の保護性能を向上させながら、グロメット１００を容易に拡げることが可能となる。このため、このグロメット付電線１１０においては、電線４を挿通させる作業を行い易い。また、本実施形態では、例えば、電線４の端部に比較的大型な部材（例えば、コネクタ等）が接続された場合であっても、電線４をグロメット１００の蛇腹部１に挿通させる作業を行い易い。
【００５１】
＜第２実施形態＞
次に図４，５を参照しつつ、第２実施形態に係るグロメット付電線２１０及びグロメット２００について説明する。図４は、グロメット２００の断面図である。図４は、グロメット２００の延在方向に直交する線に沿って切断した断面図である。図５は、図４に示される厚肉部２１Ａ付近を拡大した断面図である。図５は、グロメット２００の延在方向に直交する線に沿って切断した断面図である。なお、図４，５において、図１〜３に示される構成要素と同じ構成要素は、同じ参照符号が付されている。
【００５２】
グロメット付電線２１０は、グロメット２００と、グロメット２００に挿通された電線４と、を備える。
【００５３】
グロメット２００においては、第１実施形態と異なる構造の厚肉部２１Ａ及び山部２Ａが形成されている。なお、グロメット２００における谷部３及び蛇腹部１は、第１実施形態と同様の構造を有しているため、その説明を省略する。以下、第２実施形態における第１実施形態と異なる点について説明する。
【００５４】
まず、第１実施形態と異なる山部２Ａについて説明する。本実施形態において、山部２Ａには、厚肉部２１Ａ及び薄肉部２２の他に、山部２Ａの周方向において厚肉部２１Ａにおける外周面側の部分から両側の少なくとも一方へ突出する突出部２３が形成されている。なお、ここでは、図４，５に示されるように、山部２Ａには、厚肉部２１Ａの外周面側の部分から両側へ突出する一対の突出部２３が形成されている。
【００５５】
本実施形態では、厚肉部２１Ａ及び一対の突出部２３は、硬質部２８が柔軟部２９に設けられることで形成される。従って、ここでは、グロメット２００の延在方向に直交する線に沿って切断した断面において、硬質部２８は、厚肉部２１Ａにおける柔軟部２９を除く一部と一対の突出部２３とを含む形状に形成されていることが考えられる。
【００５６】
即ち、本実施形態において、硬質部２８は、根元側が比較的幅狭に形成され、先端側が比較的幅広に形成されている。そして、硬質部２８における根元側の比較的幅狭に形成された部分が、厚肉部２１Ａにおける柔軟部２９を除く部分における一部を成す。また、硬質部２８における先端側の比較的幅広に形成された部分が、厚肉部２１Ａにおける柔軟部２９を除く部分における残りの部分及び一対の突出部２３を成す。即ち、本実施形態において、硬質部２８は、Ｔ字状に形成されているともいえる。
【００５７】
なお、突出部２３が厚肉部２１Ａの両側のうちの一方のみに突出している場合も考えられる。この場合、硬質部２８は、逆Ｌ字状に形成されているといえる。また、硬質部２８が、上記以外の形状である場合も考えられる。
【００５８】
また、本実施形態において、突出部２３は、薄肉部２２と間隔を空けて形成されている。より具体的には、一対の突出部２３は、山部２Ａの周方向における厚肉部２１Ａの両側に位置する薄肉部２２の表面との間に隙間が形成されるように間隔を空けて形成されている。即ち、一対の突出部２３は、薄肉部２２に固着していない。この場合、一対の突出部２３が、薄肉部２２の変形を阻害することを抑制できる。
【００５９】
本実施形態では、厚肉部２１Ａにおける外周面側の部分から両側へ突出し、薄肉部２２と間隔を空けて形成される突出部２３は、柔軟部２９に固着することなく、山部２Ａの薄肉部２２（柔軟部２９）の比較的広い領域を覆うことができる。これにより、グロメット２００の厚肉部２１Ａ間の部分である薄肉部２２と外部の部材との接触を効果的に抑制できる。
【００６０】
一方、厚肉部２１Ａにおいては、突出部２３が山部２Ａに形成されているため、硬質部２８における柔軟部２９の外周面との接触面積を比較的小さくすることができる。このため、硬質部２８と柔軟部２９との固着領域を比較的小さくできる。その結果、硬質部２８によって柔軟部２９の柔軟性が損なわれることを抑制できる。
【００６１】
次に、第１実施形態と異なる厚肉部２１Ａについて説明する。ここでは、山部２Ａにおいて厚肉部２１Ａを含んで外部に突出する部分に、外部側に凸状の湾曲面が形成されている。なお、本実施形態において、上記山部２Ａにおいて厚肉部２１Ａを含んで外部に突出する部分は、厚肉部２１Ａ及び一対の突出部２３を含む部分である。ここでは、一対の突出部２３のうちの一方から厚肉部２１Ａを通り一対の突出部２３の他方に亘る部分における外部に面する部分が、外部側に凸状の湾曲面に構成されている。図４，５に示されるように、例えば、その湾曲面は、グロメット２００の延在方向に直交する線に沿って切断した断面がグロメット２００の周方向に沿う弧状に形成された湾曲面であることが考えられる。
【００６２】
なお、本実施形態でも、厚肉部２１Ａは柔軟部２９に硬質部２８が設けられることで形成される。従って、このグロメット２００の柔軟部２９に設けられる硬質部２８の先端側の幅広の部分には、外部に凸状の湾曲面が形成されていることが考えられる。厚肉部２１Ａ及び一対の突出部２３に亘る凸状の湾曲面は、外部の部材がグロメット２００の厚肉部２１Ａに接触時に、傷ついてしまうことを抑制する。より具体的には、外部の部材は、湾曲した面に接触するため、薄肉部２２を保護しつつ、外部の部材がこのグロメット２００との接触時に傷ついてしまうことを抑制できる。
【００６３】
なお、本実施形態においても、山部２に形成された厚肉部２１Ａによって、厚肉部２１Ａを含まないグロメットに比べ、その保護性能が向上する。また、複数の厚肉部２１Ａは山部２の周方向に沿って異なる位置に設けられているため、蛇腹部１が拡径する方向に変形することを阻害し難い。従って、本実施形態では、グロメット２００の保護性能を向上させながら、グロメット２００を容易に拡げることが可能となる。
【００６４】
＜応用例＞
厚肉部２１，２１Ａが、薄肉部２２と同じ部材で構成されている場合も考えられる。即ち、厚肉部２１が、１つの部材（柔軟部２９）によって構成され、比較的肉厚に形成された部分であることが考えられる。
【００６５】
厚肉部２１，２１Ａが、山部２における周方向の一部の領域のみに形成されている場合も考えられる。即ち、蛇腹部１における保護したい領域に集中的に厚肉部２１，２１Ａが設けられていることが考えられる。例えば、山部２の半周程度の領域のみに、複数の厚肉部２１，２１Ａが間隔を空けて設けられている場合等が考えられる。
【００６６】
なお、本発明に係るグロメット及びグロメット付電線は、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００６７】
１  蛇腹部
１００  グロメット
２  山部
２１  厚肉部
２２  薄肉部
２３  突出部
３  谷部
Ｐ  外接線
【図１】
2016157658.tif 000003
【図２】
2016157658.tif 000004
【図３】
2016157658.tif 000005
【図４】
2016157658.tif 000006
【図５】
2016157658.tif 000007